(57)【要約】【課題】この発明は、構成簡易にして、耐久性の向上を図り得、且つ、長期間に亘る高感触な握持を実現し得るようにすることにある。【解決手段】元竿管１０の後端部に柔軟性を有し、該元竿管１０の外周部に対向される内面の元竿管１０の後端側に、切り欠き部１１１を設けた握り部１１を取り付けて、この切欠き部１１１と元竿管１０の外周部との間に尻栓１３に設けた補強部１３１を介在させるように構成したものである。【選択図】    図１
2004290095.tif 000002
【特許請求の範囲】
【請求項１】
竿管の後端部に柔軟性を有し、前記竿管に対向される内面の、前記竿管の後端側に切り欠き部を設けた握り部を取り付けて、前記竿管の後端に取り付ける尻栓に前記切り欠き部と前記竿管との間に介在される補強部を設けたことを特徴とする釣竿。
【請求項２】
前記握り部は、前記竿管に対向される内面に、前記竿管の先端側より後端方向に向かってテーパー状であって、後端の肉厚が１．５ｍｍ〜２．５ｍｍに形成した切り欠き部を設け、且つ該切り欠き部に収容する前記尻栓の補強部を、前記握り部に比して硬質で、前記竿管に比して軟質な材料で形成したことを特徴とする請求項１記載の釣竿。
【請求項３】
前記握り部は、前記竿管に対向される内面に、前記竿管の先端側より後端方向に向かって階段状であって、後端の肉厚が１．５ｍｍ〜２．５ｍｍに形成した切り欠き部を設け、且つ該切り欠き部に収容する前記尻栓の補強部を、前記握り部に比して硬質で、前記竿管に比して軟質な材料で形成したことを特徴とする請求項１記載の釣竿
【請求項４】
前記補強部は、前記尻栓と別体に形成されることを特徴とする請求項２又は３記載の釣竿。
【発明の詳細な説明】
【０００１】
【発明の属する技術分野】
この発明は、例えばへら鮒竿等の釣竿に関する。
【０００２】
【従来の技術】
一般に、釣竿は、竿管の後端部に発泡ウレタンやコルク等で形成されたグリップと称する握り部が設けられ、この握り部を手に持って竿の振り込み動作が行われる。このような握り部は、竿管の後端部の周囲に嵌着されて被着され、竿管の後端に尻栓が取付けられて竿管に固定される（例えば、特許文献１参照）。
【０００３】
また、握り部としては、竿管に、発泡ウレタンやコルク等を嵌着して被着し、その外周に滑り止め用糸が巻き込まれ、さらに、糸の上から合成樹脂が塗布されて形成されたものがある（例えば、特許文献２参照）。そして、この握り部は、竿管の後端にＡＢＳ樹脂等の合成樹脂製や木製の尻栓が取り付けられて竿管に固定される。
【０００４】
【特許文献１】
実開昭６３―２０１４６６号公報  （第１図）
【０００５】
【特許文献２】
特開平９―１０７８５１号公報  （図１，図２）
【０００６】
【発明が解決しようとする課題】
しかしながら、上記従来の釣竿では、握り部を構成する発泡ウレタンやコルクに、材質上、密な部分と疎な部分が存在することがある。この握り部は、釣り人が強く握り、振り込み動作を繰り返し実行するために、前者の釣竿のグリップ構造だと、強い力を直接的に受ける部位が、疎な部分に当たると、繰り返し強い力を受けた場合、陥没したり割れたりする虞を有する。
【０００７】
また、後者の釣竿にあっては、前者に比して耐久性が向上されるものの、やはり、発泡ウレタンやコルクに疎の部位があると、略同様に陥没したり、割れたりする虞を有する。
【０００８】
係る事情は、特に発泡ウレタンを使用した握り部の場合、その材質上、疎な、いわゆる巣が発生し易いために、重大な課題となる。
【０００９】
この発明は、上記の事情に鑑みてなされたもので、構成簡易にして、耐久性の向上を図り得、且つ、長期間に亘る高感触な握持を実現し得るようにした釣竿を提供することを目的とする。
【００１０】
【課題を解決するための手段】
この発明の釣竿は、竿管の後端部に柔軟性を有し、前記竿管に対向される内面の、前記竿管の後端側に切り欠き部を設けた握り部を取り付けて、前記竿管の後端に取り付ける尻栓に前記切り欠き部と前記竿管との間に介在される補強部を設けて構成した。
【００１１】
上記構成によれば、握り部は、その竿管の後端側の切り欠き部と竿管との間に介在される尻栓の補強部で素材が凝縮されていることにより、握持されて振り込み動作が行われて、竿管と釣り人の手より強い力が握り部の後端部に付与されても、その力が、補強部で分散されて減少される。これにより、握り部自体に直接的に大きな力が付与されることがなくなり、長期間に亘り、陥没や割れ等の防止が可能となる。
【００１２】
【発明の実施の形態】
以下、この発明の実施の形態について、図面を参照して詳細に説明する。
【００１３】
図１は、この発明の第１の実施の形態に係る釣竿の握り領域を構成する元竿管１０を取り出して示すもので、この元竿管１０は、例えば中空状に形成される。この元竿管１０の内部には、例えば図１中において示していないが、振出式の釣竿を構成する穂先竿、径の異なる複数の小径竿管が順に収容される。
【００１４】
即ち、元竿管１０には、その後端部の外周にグリップと称する筒状の握り部１１が嵌着される。この握り部１１は、例えば発泡ウレタンやコルク等で略紡錘形状に形成され（図２参照）、その内面の後端側に、例えば先端側から後端方向に径大となるように傾斜（後端方向に肉厚が暫減）したテーパー状の切り欠き部１１１が設けられる。そして、この握り部１１上には、糸材１２が、例えば棒巻やあや巻等の手法により巻き付けられ、この糸材１２は、例えばエポキシやウレタン樹脂が塗布されて糸止めされる（図２参照）。
【００１５】
また、上記元竿管１０の後端には、尻栓１３が、上記握り部の後端を閉塞するように取り付けられる。この尻栓１３には、図３に示すように取付け面となる一方面には、補強部１３１が上記元竿管１０の外周と握り部１１の切り欠き部１１１で構成される空隙１４（図２参照）に対応して所望の傾斜面を有した略筒状に突出して形成される。この尻栓１３は、例えば上記元竿管１０よりも軟質で、上記握り部１１より硬質なＡＢＳ樹脂、ナイロン、木等で形成される。
【００１６】
上記構成において、握り部１１及び尻栓１３を元竿管１０に取り付ける場合には、先ず、元竿管１０の外周及び握り部１１の内面にエポキシ樹脂等の接着剤を塗布し、握り部１１を元竿管１０の後端より所定の位置に挿入して相互間を両面接着させる。この際、握り部１１は、その切り欠き部１１１の作用により、接着剤が、いわゆるしごかれて塗布量が少なくなる部位が発生することなく、略均一な塗布状態が保たれて高精度な接着が行われる。
【００１７】
次に、尻栓１３の一方面及び補強部１３１に接着剤を塗布し、図４に示すように該尻栓１３の補強部１３１を元竿管１０と握り部１１の切り欠き部１１１で構成される空隙１４に押し込み接着させる。ここで、尻栓１３の補強部１３１は、元竿管１０と握り部１１との間に介在され、握り部１１の後端部側の材質を凝縮させて密に高める。このような尻栓１３の押し込み接着により、握り部１１の後端部側を凝縮させて密に高める効果の他に、相互間に接着剤が確実に充填されて元竿管１０、尻栓１３及び握り部１１が強固に接着される。
【００１８】
上記握り部１１は、上記釣り人が、該握り部１１１を握持して竿の振り込み動作が行われると、元竿管１０と釣り人の手により、握り部１１の後端近傍に大きな力が加わるが、この大きな力が尻栓１３の補強部１３１により分散される。これにより、握り部１１は、竿の振り込み動作に伴う陥没や割れ等の破損を効果的に防止することが可能となる。同時に、握り部１１は、尻栓１３の補強部１３１により、凝縮されて密度が高められていることにより、この点からも破損の防止が促進される。
【００１９】
このように、上記釣竿は、元竿管１０の後端部に柔軟性を有し、該元竿管１０の外周部に対向される内面の元竿管１０の後端側に、切り欠き部１１１を設けた握り部１１を取り付けて、この切欠き部１１１と元竿管１０の外周部との間に尻栓１３に設けた補強部１３１を介在させるように構成した。
【００２０】
これによれば、握り部１１は、元竿管１０に接着させた状態で、その後端に尻栓１３が、取り付けられると、その切り欠き部１１１が尻栓１３の補強部１３１で押圧されて素材が凝縮されていることにより、握持されて振り込み動作が行われて、元竿管１０と釣り人の手より強い力が握り部１１の後端部に付与されても、その力が、補強部１３１で分散されて減少される。このように、握り部１１自体に直接的に集中した大きな力が付与されることがないことで、陥没や割れ等の破損の防止が図れて耐久性が高められ、長期間に亘る使用が可能となる。
【００２１】
また、この発明は、上記実施の形態に限ることなく、その他、握り部構造として、図５乃至図８あるいは図９乃至図１２に示すように構成しても、略同様の効果を期待することができる。但し、図５乃至図８、図９乃至図１２においては、便宜上、上記図１乃至図４と同一部分について、同一符号を付してその説明を省略する。
【００２２】
図５乃至図８は、この発明の第２の実施の形態を示すもので、上記元竿管１０には、その後端部に例えば上記第１の実施の形態と同様の材質を有する握り部２１が嵌着されて配される。この握り部２１には、その内面の後端側に、例えば先端側から後端方向に径大となる、すなわち、後端方向に肉厚が暫減する略階段状の切り欠き部２１１が設けられる（図６参照）。
【００２３】
また、上記元竿管１０の後端には、上記握り部２１の後端を閉塞するように尻栓２２が取り付けられる。この尻栓２２には、図７に示すようにの取付け面となる一方面には、補強部２２１が上記元竿管１０の外周と握り部２１の切り欠き部２１１で構成される略階段状の空隙２３（図６参照）に対応して周面が略階段状をした略筒状に突出して形成される。この尻栓２２は、同様に例えば上記元竿管１０よりも軟質で、上記握り部２１より硬質なＡＢＳ樹脂、ナイロン、木等で形成される。
【００２４】
上記構成において、握り部２１及び尻栓２２を元竿管１０に取り付ける場合には、上記第１の実施の形態と略同様に元竿管１０の外周及び握り部２１の内面にエポキシ樹脂等の接着剤を塗布し、握り部２１を元竿管１０の後端より所定の位置に挿入して相互間を両面接着させる。この際、握り部２１は、その切り欠き部２１１の作用により、接着剤が、いわゆるしごかれて塗布量が少なくなる部位が発生することなく、略同様に略均一な塗布状態が保たれて高精度な接着が行われる。
【００２５】
次に、尻栓２２の一方面及び補強部２２１に接着剤を塗布し、図８に示すように尻栓２２の補強部２２１を元竿管１０と握り部２１の切り欠き部２１１で構成される空隙２３に押し込み接着させる。ここで、尻栓２２の補強部２２１は、元竿管１０と握り部２１との間に介在され、握り部２１の後端部側の材質を凝縮させて密に高める。
【００２６】
上記構成により、第２の実施の形態においても、上記第１の実施の形態と略同様に上記釣り人が元竿管１０の握り部２１を握持して竿の振り込み動作が行われると、元竿管１０と釣り人の手により、握り部２１の後端近傍に大きな力が加わるが、この大きな力が尻栓２２の補強部２２１により分散される。これにより、握り部２１は、竿の振り込み動作に伴う陥没や割れ等の破損を効果的に防止することが可能となる。同時に、握り部２１は、尻栓２２の補強部２２１により、凝縮されて密度が高められていることにより、この点からも破損の防止が促進される。
【００２７】
また、図９乃至図１２は、この発明の第３の実施の形態を示すもので、上記元竿管１０には、その後端部に例えば上記第１の実施の形態と同様の材質を有する握り部３１が嵌着されて配される。この握り部３１には、その後端側の上記元竿管１０の外周に対向する内面に、径大に切り欠いた切り欠き部３１１が設けられ（図１０参照）、その後端にリング状の嵌合突部３１２が設けられる。
【００２８】
また、上記元竿管１０の後端に、上記握り部３１の後端を閉塞するように尻栓３２が取付けられる。この尻栓３２には、図１１に示すようにの取付け面となる一方面に、補強部３２１が上記元竿管１０の外周と握り部３１の切り欠き部３１１で構成される空隙３３（図１０参照）に対応して略筒状に突出して形成されると共に、嵌合凹部３２２が握り部２１の嵌合突部３１２に対応して設けられる。この尻栓３２は、同様に例えば上記元竿管１０よりも軟質で、上記握り部３１より硬質なＡＢＳ樹脂、ナイロン、木等で形成される。
【００２９】
上記構成において、握り部３１及び尻栓３２を元竿管１０に取り付ける場合には、上記第１の実施の形態と略同様に元竿管１０の外周及び握り部３１の内面にエポキシ樹脂等の接着剤を塗布し、握り部３１を元竿管１０の後端より所定の位置に挿入して相互間を両面接着させる。この際、握り部３１は、その切り欠き部３１１の作用により、接着剤が、いわゆるしごかれて塗布量が少なくなる部位が発生することなく、略同様に略均一な塗布状態が保たれて高精度な接着が行われる。
【００３０】
次に、尻栓３２の一方面、嵌合凹部３２２及び補強部３２１に接着剤を塗布し、図１２に示すように、その嵌合凹部３２２に握り部３１の嵌合突部３１２を押し込む如く挿入すると共に、その補強部３２１を元竿管１０と握り部３１の切り欠き部３１１で構成される空隙３３に押し込み接着させる。ここで、尻栓３２の補強部３２１は、元竿管１０と握り部３１との間に介在され、握り部３１の後端部側の材質を凝縮させて密に高める。
【００３１】
上記構成により、第３の実施の形態においては、釣り人が元竿管１０の握り部３１を握持して竿の振り込み動作が行われると、元竿管１０と釣り人の手により、握り部３１の後端近傍に大きな力が加わるが、この大きな力が尻栓３２の補強部３２１で受けて該補強部３２１全体に分散される。これにより、握り部３１は、竿の振り込み動作に伴う陥没や割れ等の破損を効果的に防止することが可能となる。同時に、握り部３１は、尻栓３２の補強部３２１により、凝縮されて密が高められていることにより、この点からも破損の防止が促進される。
【００３２】
また、この尻栓３２は、元竿管１０及び握り部３１に対する接着面積を広くとることが可能となることにより、この点からも堅牢な取り付けが実現される。
【００３３】
なお、上記第１乃至第３の実施の形態においては、補強部１３１，２２１，３２１を尻栓１３，２２，３２に形成するように構成した場合で説明したが、これに限ることなく、その他、補強部１３１，２２１，３２１を尻栓１３，２２，３２から分離して形成して、握り部１１，２１，３１の切り欠き部１１１，２１１，３１１と元竿管１０との間に介在するように構成することも可能で、略同様の効果が期待される。
【００３４】
また、上記第１乃至第３の実施の形態では、尻栓１３，２２，３２を元竿管１０の管内に嵌合させることなく、元竿管１０に取付け配置するように構成した場合で説明したが、これに限ることなく、尻栓１３，２２，３２の一部を元竿管１０の内部に嵌合されて元竿管１０の後端に取付け配置するように構成することも可能である。
【００３５】
さらに、上記第１乃至第３の実施の形態では、元竿管として、中空形状の竿構造に適用した場合で説明したが、これに限ることなく、その他、充実形状の竿構造に適用することも可能である。
【００３６】
よって、この発明は、上記実施の形態に限ることなく、その他、実施段階ではその要旨を逸脱しない範囲で種々の変形を実施し得ることが可能である。さらに、上記実施形態には、種々の段階の発明が含まれており、開示される複数の構成要件における適宜な組合せにより種々の発明が抽出され得る。
【００３７】
例えば実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【００３８】
【発明の効果】
以上詳述したように、この発明によれば、構成簡易にして、耐久性の向上を図り得、且つ、長期間に亘る高感触な握持を実現し得るようにした釣竿を提供することができる。
【図面の簡単な説明】
【図１】この発明の第１の実施の形態に係る釣竿の要部を取り出して示した断面図である。
【図２】図１の握り部を取り出して示した断面図である。
【図３】図１の尻栓を取り出して示した断面図である。
【図４】図１の要部を拡大して示した断面図である。
【図５】この発明の第２の実施の形態に係る釣竿の要部を取り出して示した断面図である。
【図６】図５の握り部を取り出して示した断面図である。
【図７】図５の尻栓を取り出して示した断面図である。
【図８】図１の要部を拡大して示した断面図である。
【図９】この発明の第３の実施の形態に係る釣竿の要部を取り出して示した断面図である。
【図１０】図９の握り部を取り出して示した断面図である。
【図１１】図９の尻栓を取り出して示した断面図である。
【図１２】図１の要部を拡大して示した断面図である。
【符号の説明】
１０…元釣竿、１１，２１，３１…握り部、１１１，２１１，３１１…切り欠き部、３２１…嵌合突部、１２…糸材、１３，２２，３２…尻栓、１３１，２２１，３２１…補強部、３２２…嵌合凹部、１４，２３，３３…空隙。
【図１】
2004290095.tif 000003
【図２】
2004290095.tif 000004
【図３】
2004290095.tif 000005
【図４】
2004290095.tif 000006
【図５】
2004290095.tif 000007
【図６】
2004290095.tif 000008
【図７】
2004290095.tif 000009
【図８】
2004290095.tif 000010
【図９】
2004290095.tif 000011
【図１０】
2004290095.tif 000012
【図１１】
2004290095.tif 000013
【図１２】
2004290095.tif 000014